(57)【要約】【課題】部品形状の制約が少なく、高品質な外観商品性を有する電気掃除機を提供する。【解決手段】少なくとも一部が略透明材料から形成され、前記略透明材料から形成された内面の少なくとも一部に塗装を施した部品１１を有する電気掃除機で、透明部分の厚みの奥に塗装部１２が見える奥深さを確保して、高品質な外観商品性を有する電気掃除機を提供できる。また、本体外観商品性を向上できるとともに、視認性などの使い勝手も向上でき、家庭用、業務用の各種器具、機器、装置に適応できるものである。【選択図】図２
2005192832.tif 000002
【特許請求の範囲】
【請求項１】
少なくとも一部が略透明材料から形成され、前記略透明材料から形成された内面の少なくとも一部に塗装を施した部品を有する電気掃除機。
【請求項２】
部品の少なくとも塗装される面は、３次元形状の曲面を有する請求項１記載の電気掃除機。
【請求項３】
部品の少なくとも塗装される面に、シボ加工を施してなる請求項１または２記載の電気掃除機。
【請求項４】
吸引風を発する電動送風機と、前記電動送風機で吸引された塵埃を捕集する集塵部と、前記集塵部を覆う蓋体とを備え、前記蓋体を請求項１〜３のいずれか１項に記載の部品で構成した電気掃除機。
【請求項５】
運転状態を表示する表示手段と、前記表示手段を覆う表示蓋とを備え、前記表示蓋を請求項１〜３のいずれか１項に記載の部品で構成した電気掃除機。
【発明の詳細な説明】
【技術分野】
【０００１】
本発明は、一般家庭において使用される電気掃除機に関するもので、特に電気掃除機のの外郭装飾に関するものである。
【背景技術】
【０００２】
従来の電気掃除機の外郭装飾の方法として、掃除機本体の一部に設けた本体パネルを、射出成形時に金型内でフィルムを転写するインモールド成型法により製作し、不透明にした運転サイン、可視光線を遮断するフィルタを設けた赤外線受光部を同時に成形し、一体化したものがある。
【０００３】
この構成により、本体パネルの外観は、透明部分の厚みの奥にフィルムが見える奥深さが得られて商品性が向上し、またフィルムの仕様で透明部と不透明部を同時に形成できるようになっていた(例えば、特許文献１参照)。
【特許文献１】特開平６−１０５７７３号公報
【発明の開示】
【発明が解決しようとする課題】
【０００４】
しかしながら、上記インモールド成形法ではフィルムを転写する面が、成型時にフィルムにしわが発生して外観不良とならない形状、すなわち円筒面などの２次元形状の曲面か平面でなければならず、部品形状が制約されていた。
【０００５】
また、透明部と非透明部を構成する場合には、フィルムを金型内で正確に位置決めする必要があり成形時に手間が掛かっていた。そして何らかの原因で不良となった場合には、フィルムが転写されて一体化しているため再生ができないといった課題を有していた。
【０００６】
本発明は上記課題を解決するもので、部品形状への制約が少なく、高品質な外観商品性を有する電気掃除機を提供することを目的とする。
【課題を解決するための手段】
【０００７】
上記従来の課題を解決するために、本発明の電気掃除機は、少なくとも一部が略透明材料から形成され、前記略透明材料から形成された内面の少なくとも一部に塗装を施した部品を有するもので、形状の制約を受けることなく透明部分の厚みの奥に塗装面が見える奥深さを確保して、高品質な外観商品性を有する電気掃除機を提供できる。
【発明の効果】
【０００８】
本発明は、部品形状への制約が少なく、高品質な外観商品性を有する電気掃除機を提供することができる。
【発明を実施するための最良の形態】
【０００９】
第１の発明は、少なくとも一部が略透明材料から形成され、前記略透明材料から形成された内面の少なくとも一部に塗装を施した部品を有する電気掃除機で、形状の制約を受けることなく、透明部分の厚みの奥に塗装面が見える奥深さを確保して、高品質な外観商品性を有する電気掃除機を提供できる。
【００１０】
第２の発明は、部品の少なくとも塗装される面は、３次元形状の曲面を有するもので、インモールド成形では形成できない形状の部品においても高品質な外観商品性を得ることができる。
【００１１】
第３の発明は、部品の少なくとも塗装される面に、シボ加工を施してなるもので、シボ加工で形成された凹凸形状や表面模様形状の上に塗装が乗り、透明部分の厚みの奥に立体感のある塗装面を形成でき、外観商品性が一層向上できる。
【００１２】
第４の発明は、吸引風を発する電動送風機と、前記電動送風機で吸引された塵埃を捕集する集塵部と、前記集塵部を覆う蓋体とを備え、前記蓋体を請求項１〜３のいずれか１項に記載の部品で構成したもので、集塵部内での塵埃の堆積状況が、外観商品性を高めた蓋体の非塗装部を通して外側より視認することができるとともに、塗装の色、塗装部分と非塗装部分のデザイン的配置で製品バリエーションを手軽に増やせて、製品の多様化を安価に実現できる。
【００１３】
第５の発明は、運転状態を表示する表示手段と、前記表示手段を覆う表示蓋とを備え、前記表示蓋を請求項１〜３のいずれか１項に記載の部品で構成したもので、表示手段の点灯状態を外観商品性を高めた表示蓋の外面より視認することができ、商品価値を高めることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機の全体斜視図で、図２は同電気掃除機の掃除機本体の部分断面図である。
【００１６】
図において、掃除機本体１は後方に吸引風を発生させる電動送風機２を内蔵する電動送風機室３を、また前方には紙袋４を内蔵する集塵室５を有している。さらに掃除機本体１の集塵室５の上流側にはホース６の一端が接続され、他端には延長管７を介して床用吸込具８が接続される。
【００１７】
電動送風機２は上本体９と下本体１０で上下に挾持され、集塵室５の上方開口は、上本体９に回動自在に取着された集塵室蓋１１で開閉自在に閉塞されている。集塵室蓋１１は、着色された透明のＡＢＳ材で成形され、内面中央部をマスキングして塗装することにより内面の外周側には塗装部１２が設けられる。この結果、集塵室蓋１１を外郭側からみると、中央部に透明部１１ａ、周囲部に非透明部１１ｂが形成される。
【００１８】
以上のように構成された電気掃除機について、以下その動作、作用を説明する。
【００１９】
電動送風機２を運転すると、吸引風が床用吸込具８→延長管７→ホース６を経て掃除機本体１内に流入し、吸引風に含まれた塵埃は集塵室５内の紙袋４に捕集されて紙袋４内に堆積し、清浄になった吸引風は電動送風機室３を経て掃除機本体１の外に排出される。
【００２０】
ところで紙袋４は、内部に徐々に堆積する塵埃量の増加とともに集塵室５内で広がっていき、この広がり状態を集塵室蓋１１の中央部に形成した透明部１１ａを通して集塵室蓋１１を開けることなく視認し、塵埃の溜まり具合を確認することが可能となる。
【００２１】
ところで集塵室蓋１１の非透明部１１ｂは、図２に示す厚みｔを有し、内面側に塗装部１２が形成されて非透明となっている。このため透明着色ＡＢＳの奥側の塗装部１２を外郭側から見ることになって、高品位の外観となる。
【００２２】
なお、塗装部１２は平面である必要はなく、図２に示すような３次元的な曲面であっても形成でき、集塵室蓋１１の非透明部１１ｂを制約条件なしで形成することができる。加えて、塗装の色、塗装部分と非塗装部分のデザイン的配置で製品バリエーションを手軽に増やせ、製品の多様化を安価に実現できる。
【００２３】
また、集塵室蓋１１の内面に塗装して非透明部１１ｂを形成しているため、本電気掃除機の使用中に、掃除機本体１が家具や壁に当たって擦れることがあっても塗装部１２が剥がれることがないので、高品位の外観商品性を長期にわたって維持できるものである。
【００２４】
なお、本実施の形態では、集塵室蓋１１に塗装による透明部と非透明部を設け、非塗装部を通して内部が視認できるようにしたが、集塵室蓋１１以外の部品であっても内部を視認させることを意図する部分には全て適用できることは言うまでもない。
【００２５】
（実施の形態２）
図３は、本発明の第２の実施の形態における電気掃除機の要部断面図（図２におけるＡ部）である。なお、上記実施の形態と同一部分については同一符号を付してその説明を省略する。
【００２６】
１３は表示基板１４上に複数搭載された表示手段を形成する発光ダイオードで、紙袋４内に堆積する塵埃の増加に伴って集塵室５内の負圧が大きくなると、その変化が圧力センサー（図示せず）で検知され、電動送風機室３内に配置した制御回路部（図示せず）が対応する出力信号を出し、この出力信号に応じて点灯するものである。表示基板１４は上本体９に載置・保持され、本体１の外郭を構成する表示蓋１５で覆われる。
【００２７】
表示蓋１５は透明ＡＢＳを材料として樹脂射出成形で形成されている。発光ダイオード１３を囲うリング壁１６の周囲には、金型の表面を凹凸形状にして形成したシボ加工部１７が一体に形成されている。また、シボ加工部１７とリング壁１６の外周面は塗装されて、塗装部１２’が設けられている。一方、リング壁１６の内面は透明のままで、掃除機本体１の外郭側からは表示窓１８として発光ダイオード１３の点灯状態が視認できるようになっている。
【００２８】
１９は表示蓋１５の外郭表面に印刷された表示である。
【００２９】
以上のように構成された電気掃除機について、以下その動作、作用を説明する。
【００３０】
床用吸込具８より吸引された塵埃の紙袋４内での堆積量が増加するにつれ、集塵室５内の負圧が大きくなる。この変化に伴って電動送風機室３内に配置した制御回路部（図示せず）が信号を出力し、この結果発光ダイオード１３が点灯する。
【００３１】
本電気掃除機を使用している使用者は、表示窓１８から見える発光ダイオード１３の点灯状態と、表示蓋１５の表面に印刷された表示１９の内容とで、紙袋４内の塵埃蓄積量を知ることとなる。この際、リング壁１６の周囲は塗装部１２’となっているため、発光ダイオード１３の光が表示窓１８を通してだけ見える状態となり、商品性が高いものとなる。
【００３２】
また、透明ＡＢＳで形成された表示蓋１５の厚みの奥側で、かつシボ加工部１７上の塗装部１２’を外側から見ることとなり、表示蓋１５の外観商品性が非常に高くなる。
【００３３】
なお、シボ加工部１７のシボ模様は様々な種類のものより選択でき、その選定する模様により商品イメージを容易に変化させることができるものである。
【００３４】
また、塗装材料として蛍光塗料を選定し、発光ダイオード１３の代わりに前記蛍光塗料を発光させる素子と組み合わせれば、表示蓋１５全体で点灯表示でき、商品価値をより一層高めることもできるものである。
【産業上の利用可能性】
【００３５】
以上のように、本発明にかかる電気掃除機は、本体外観商品性を向上できるとともに、視認性などの使い勝手も向上でき、家庭用、業務用の各種器具、機器、装置に適応できるものである。
【図面の簡単な説明】
【００３６】
【図１】本発明の実施の形態１における電気掃除機の全体斜視図
【図２】同電気掃除機の掃除機本体の部分断面図
【図３】本発明の実施の形態２における電気掃除機の要部拡大断面図（図２のＡ部）
【符号の説明】
【００３７】
１  掃除機本体
１１  集塵室蓋
１２、１２’  塗装部
１３  発光ダイオード
１５  表示蓋
１７  シボ加工部
【図１】
2005192832.tif 000003
【図２】
2005192832.tif 000004
【図３】
2005192832.tif 000005